(57)【要約】【課題】  操作ツマミに印加された静電気が内部の制御基板に流れ込まないようにアースさせ、筒状発光部材に側方から入射された光源の光の多くを前方側に向かわせるようにする機器の操作パネル部アース構造を実現する。【解決手段】  操作ツマミ１０Ｂの外周囲に配置される筒状発光部材１４の裏側部に環状アース部材１６を設ける。環状アース部材１６は、筒状発光部材１４の裏側部に配置されて筒状発光部材１４の後方側に向かう作動表示用光源１５Ｓの光を前方側に反射させる円形の環状板１６１と、環状板１６１に連設されて筒状発光部材１４のツマミ挿通孔１４２ａ内に配置され、操作ツマミ１０Ｂにおける円筒小径部１０１の外周面に接触または接近する大きさの円形筒部１６２と、環状板１６１から延長形成されて前面の金属製の操作パネル板８Ｒに接触させるアーム部１６３とを備える。【選択図】  図２
2006092832.tif 000002
【特許請求の範囲】
【請求項１】
機器の操作パネル板に設けられた操作ツマミと、機器の作動時に側方からの光源の光によって発光される透孔材料からなる筒状発光部材とを有し、上記操作ツマミを上記筒状発光部材のツマミ挿通孔に挿通させて上記操作ツマミの外周囲に沿って上記筒状発光部材を配置した操作パネル部を備え、
上記筒状発光部材の裏側部に配置される金属製の部材であって、
上記筒状発光部材の後方側に向かう光源の光を前方側に反射させ、且つ上記操作ツマミの外周面に接触または接近させると共に金属製の操作パネル板または操作パネル板の裏側に配置された金属製裏板に接触させるように構成した環状アース部材を設けたことを特徴とする機器の操作パネル部アース構造。
【請求項２】
請求項１に記載の機器の操作パネル部アース構造において、
上記環状アース部材は、
上記筒状発光部材の裏側部に配置されて筒状発光部材の後方側に向かう光源の光を前方側に反射させる環状板と、
上記環状板に連設されて上記筒状発光部材のツマミ挿通孔内に配置され、上記操作ツマミの外周面に接触または接近する大きさの筒部と、
上記環状板から延長形成されて金属製の操作パネル板または操作パネル板の裏側に配置された金属製裏板に接触させるアーム部とを備える機器の操作パネル部アース構造。
【請求項３】
請求項１または２に記載の機器の操作パネル部アース構造において、
上記操作ツマミは、回動操作のための摘み部分となる前側の小径部と、回動操作時に筒状発光部材の裏側部に対向する前端面を設ける後側の大径部とを有し、
上記環状アース部材の環状板には、上記操作ツマミの前端面と対接する部位に膨出部が形成されている機器の操作パネル部アース構造。
【発明の詳細な説明】
【技術分野】
【０００１】
本発明は、操作ツマミの外周囲に沿って機器の作動時に発光する筒状発光部材を配置した機器の操作パネル部のアース構造に関するものである。
【背景技術】
【０００２】
従来、この種の機器として、例えば、加熱調理器は、その本体前面には、金属製等の操作パネル板に設けられた操作ツマミと、この加熱調理器の燃焼作動時に側方からの光源の光によって発光される樹脂等の透孔材料からなる筒状発光部材とを有し、上記操作ツマミを上記筒状発光部材のツマミ挿通孔に挿通させて上記操作ツマミの外周囲に沿って上記筒状発光部材を配置した操作パネル部を備えるものがある（特許文献１）。これによると、加熱作動表示を行うスペースが上記筒状発光部材に集約されるため、操作パネル部に窓孔等による加熱作動用の表示部を形成せずに済み、操作部がスッキリして加熱調理器の本体前面の体裁が良好になる。従って、加熱調理器の本体前面のデザイン性を向上させる上で有利である。
【特許文献１】実開昭５８−１８６３０１号公報（第１図、第３図）
【発明の開示】
【発明が解決しようとする課題】
【０００３】
ところで、上記加熱調理器は、操作パネル部にスッキリ感を表出させて本体前面のデザイン性を向上できるが、操作ツマミの周囲を樹脂製等の上記筒状発光部材で囲うため、操作者等のタッチ操作により操作ツマミに印加された静電気は、この筒状発光部材に遮られて周囲の金属製の操作パネル板等に流されなくなる。そのため、操作ツマミに印加された静電気が内部の電装部品等を介して制御基板に流れ込み、機器の誤動作を起こしたり制御基板の一部の部品を破壊し故障させる等のおそれが生じる。
【０００４】
また、筒状発光部材に対しては光源の光をその側方から入射させるようにするため、この入射された光が筒状発光部材の後方側にも拡散し、本体前面側となる前方側に向かう光量が十分に確保されないおそれがある。そうすると、この加熱調理器を設置する台所の照明具合等によっては、上記筒状発光部材による作動表示の点灯がはっきり識別できない場合も起こり得る。
【０００５】
本発明は、上記事情に鑑みてなされたものであり、操作ツマミに印加された静電気が内部の制御基板に流れ込まないようにアースさせ、しかも、筒状発光部材に側方から入射された光源の光の多くを前方側に向かわせるようにする機器の操作パネル部アース構造を実現することを課題とする。
【課題を解決するための手段】
【０００６】
本発明に係る機器の操作パネル部アース構造は、機器の操作パネル板に設けられた操作ツマミと、機器の作動時に側方からの光源の光によって発光される透孔材料からなる筒状発光部材とを有し、上記操作ツマミを上記筒状発光部材のツマミ挿通孔に挿通させて上記操作ツマミの外周囲に沿って上記筒状発光部材を配置した操作パネル部を備え、上記筒状発光部材の裏側部に配置される金属製の部材であって、上記筒状発光部材の後方側に向かう光源の光を前方側に反射させ、且つ上記操作ツマミの外周面に接触または接近させると共に金属製の操作パネル板または操作パネル板の裏側に配置された金属製裏板に接触させるように構成した環状アース部材を設けたことを特徴とする。
これにより、操作ツマミに印加した静電気は、上記の金属製の環状アース部材を通して金属製の操作パネル板または操作パネル板の裏側に配置された金属製裏板に流される。しかも、上記金属製の環状アース部材は、筒状発光部材の後方側に向かう光源の光を前方側に反射させる構成とするので、筒状発光部材の前方側を一層明るく光らせることができる。
【０００７】
また、上記環状アース部材は、上記筒状発光部材の裏側部に配置されて筒状発光部材の後方側に向かう光源の光を前方側に反射させる環状板と、上記環状板に連設されて上記筒状発光部材のツマミ挿通孔内に配置され、上記操作ツマミの外周面に接触または接近する大きさの筒部と、上記環状板から延長形成されて金属製の操作パネル板または操作パネル板の裏側に配置された金属製裏板に接触させるアーム部とを備えるものである。
これにより、上記筒部は、上記操作ツマミの外周面に接触または接近する大きさに構成されているので、操作ツマミに蓄積された静電気がこの筒部に流れ込むようになる。この筒部は、環状板に連設され、そして、環状板からアーム部が延長形成されているので、筒部に流れ込んだ静電気がアーム部に流れる。さらに、このアーム部は、金属製の操作パネル板または操作パネル板の裏側に配置された金属製裏板に接触させているので、アーム部に流れ込んだ静電気が金属製の操作パネル板または操作パネル板の裏側に配置された金属製裏板に流される。従って、操作ツマミに印加した静電気は、金属製の操作パネル板または操作パネル板の裏側に配置された金属製裏板にアースされることとなる。
しかも、上記環状板によって、筒状発光部材の後方側に向かう光源の光を前方側に反射させ、筒状発光部材の前方側を一層明るく光らせることができる。
【０００８】
また、上記操作ツマミは、回動操作のための摘み部分となる前側の小径部と、回動操作時に筒状発光部材の裏側部に対向する前端面を設ける後側の大径部とを有し、上記環状アース部材の環状板には、上記操作ツマミの前端面と対接する部位に膨出部が形成されていてもよい。これにより、操作ツマミの回動操作時、環状板の膨出部によって操作ツマミにおける大径部の前端面が受けられることとなり、操作ツマミが回動操作されるときに操作者の手に伝わる回動感触のガタツキ感を無くすことができる。
【発明の効果】
【０００９】
以上のように、本発明によれば、操作ツマミに印加した静電気は、上記の金属製の環状アース部材を通して金属製の操作パネル板または操作パネル板の裏側に配置された金属製裏板に流される。従って、操作ツマミに印加された静電気が制御基板に流れ込まないようにすることができ、操作ツマミを通した静電気による機器の誤動作や制御基板の部品破壊等を防止することができる。
【００１０】
しかも、上記金属製の環状アース部材は、筒状発光部材の後方側に向かう光源の光を前方側に反射させる構成とするので、筒状発光部材の前方側を一層明るく光らせることができる。従って、機器の作動時においては、筒状発光部による作動表示の点灯がはっきり識別することができ、操作者に対して機器の作動を確実に認識させることができる。
【発明を実施するための最良の形態】
【００１１】
以下に、本発明の実施の形態について添付図面を参照しながら説明する。なお、この実施の形態では、機器として加熱調理器のガスコンロを挙げて説明する。
図１は、ガスコンロの外観構成を示す斜視図である。図１に示すように、このガスコンロは、システムキッチンのカウンタトップＣＴに落とし込んだ状態で設置される所謂ドロップイン式ガスコンロであり、上面開放の箱形のコンロ本体１と、コンロ本体１の上部に配置されるガラス天板２とを有している。このガスコンロは、ガラス天板２に加熱部となるコンロ部３が前側の左右に２個と後側に１個の合計３個設置され、コンロ本体１内部にグリル部４が設置されている。また、コンロ本体１の本体前面１ａは、高級感を持たせるため、アルミニウム材をベースにした外観構成にされている。
【００１２】
そして、この本体前面１ａは、ほぼ中央（やや左寄り）にグリル部４のグリル扉４ａが設置され、向かって右側に３個のコンロ部３に対応するコンロ用操作パネル部８０Ｒとコンロ用スイッチボックス１１Ｂが配設され、向かって左側にグリル部４に対応するグリル用操作パネル部８０Ｌとグリル用スイッチボックス１１Ｇが配設されている。
【００１３】
上記コンロ用スイッチボックス１１Ｂは、前面にアルミニウム板１１２が貼着され（図２参照）、上面に各コンロ部３での湯沸し、揚げ物、炊飯等の調理モードを設定するスイッチや表示部等が設けられ、また、上記グリル用スイッチボックス１１Ｇは、前面にアルミニウム板が貼着され、上面にグリル部４でのオートグリル（自動焼物器）の各種設定スイッチや表示部等が設けられている。これらのスイッチボックス１１Ｂ，１１Ｇは、プッシュプッシュ機構が組み込まれており、不使用時は本体前面１ａと面一に設置され、使用時にはその前部を押し込むと引き出し式に前方に飛び出して各スイッチ類が露出されるようになっている。
【００１４】
上記コンロ用操作パネル部８０Ｒには、金属製の操作パネル板８Ｒに上記３個のコンロ部３のそれぞれに対応した３つの操作ツマミ１０Ｂや電源ボタン１２が配設され、一方、上記グリル用操作パネル部８０Ｌには、金属製の操作パネル板８Ｒに上記グリル部４に対応した操作ツマミ１０Ｇが配設されている。また、各操作ツマミ１０Ｂ，１０Ｇの外周囲には、加熱作動時に光って加熱作動表示を行う筒状発光部材１４が操作ツマミ１０Ｂ，１０Ｇを囲うように配置されている。さらに、各筒状発光部材１４には、後方側に向かう光源の光を前方側に反射させ、且つ操作ツマミ１０Ｂ，１０Ｇに印加等した静電気を本体前面１ａの金属製の操作パネル板８Ｒ，８Ｌにアースさせるための環状アース部材１６が取付けられている（図２、図３を参照）。
【００１５】
次に、上記操作パネル部８０Ｒ，８０Ｌの内部構造について図２および図３を参照して説明する。なお、右側に位置するコンロ用操作パネル部８０Ｒの内部構造と、左側に位置するグリル用操作パネル部８０Ｌの内部構造とは、基本的には同様の構造を有するので、以下ではコンロ用操作パネル部８０Ｒの内部構造について説明する。
図２は、コンロ本体１におけるコンロ用操作パネル部８０Ｒの配置側の一部縦断面図であり、図３は、操作ツマミ１０Ｂ、筒状発光部材１４および環状アース部材１６を示す分解斜視図である。
図２に示すように、コンロ用操作パネル部８０Ｒの前面を構成する操作パネル板８Ｒは、高級感を表出させるため、金属、例えば、アルミニウムの押出し成形材で形成され、各操作ツマミ１０Ｂの配置箇所に円形のツマミ開口部８２を３つ設けている（図１も参照）。そして、操作パネル板８Ｒの裏側には、操作ツマミ１０Ｂおよび筒状発光部材１４を支持する支持枠１３が取付けられている。
【００１６】
上記支持枠１３は、後方に開口する樹脂製の箱体１３１と、箱体１３１の後端開口面に取付けられる基板１３５と、基板１３５を覆って箱体１３１の後端開口面に取付けられる蓋板１３２とで構成され、上記箱体１３１に上記筒状発光部材１４が装着され、上記基板１３２に各操作ツマミ１０Ｂが支持されている。
箱体１３１の前面部には、上記操作パネル板８Ｒのツマミ開口部８２に対応してこのツマミ開口部８２よりも一回り大きい円形の円形装着孔１３４が３つ設けられている。また、この箱体１３１の前面部の上下には、一対の凸状係合部１３３が形成されている。そして、操作パネル板８Ｒの裏面の上下に形成された上下一対の溝状係合部８１に、上記凸状係合部１３３を横方向にスライドさせて係合させ、これにより、支持枠１３の箱体１３１が操作パネル板８Ｒの裏面に取付けられる。なお、操作パネル板８Ｒに凸状係合部を形成し、支持枠１３の箱体１３１に溝状係合部を形成するようにしてもよい。
【００１７】
次に、操作ツマミ１０Ｂについて説明する。
各操作ツマミ１０Ｂは、図２に示すように、支持枠１３の後端開口に取付けられる基板１３２に固定したロータリーエンコーダ１０２に対し、プッシュプッシュ機構を組み込んだ中継部材１０３を介して連結される。操作ツマミ１０Ｂは、常時は後方の没入位置に存し、没入位置から一度押し込むとプッシュプッシュ機構の働きで前方の突出位置に前進する。そして、この操作ツマミ１０Ｂは、突出位置に前進された状態でダイヤル式に回動操作される。
【００１８】
操作ツマミ１０Ｂは、図３に示すように、後側の円筒大径部１０５と、この円筒大径部１０５の前端面１０５ａに連設された前側の円筒小径部１０１とを有する。この円筒小径部１０１にはアルミニウム製のキャップ１０１ａが嵌着されているが（図２参照）、このようなキャップ１０１ａが嵌着されなくてもよい。また、この円筒小径部１０１は、コンロ部３の燃焼作動時に操作パネル板８Ｒのツマミ開口部８２から前方に突出されて操作者がダイヤル式に回動操作する摘み部分となり、一方、後側の円筒大径部１０５は、操作ツマミ１０Ｂの突出・没入によって基板１３２に固定されたリミットスイッチ１０４（インタラプタスイッチ）をＯＮ・ＯＦＦする機能部分を構成する。そして、操作ツマミ１０Ｂの突出位置への前進がリミットスイッチ１０４で検出されると、対応するコンロ部３が点火され、さらに、突出位置での操作ツマミ１０Ｂの回動操作により、ロータリーエンコーダ１０２からの信号が制御基板のマイコン等（図示せず）に送信されて対応するコンロ部３の火力が調節される。
【００１９】
次に、上記筒状発光部材１４について説明する。
筒状発光部材１４は、ＬＥＤ（発光素子）からなる光源の光が側面１４１ａから入射されることによって発光されるポリカーボネート樹脂等の透光材料からなり、図３に示すように、中心に操作ツマミ１０Ｂを挿通させるツマミ挿通孔１４２ａが設けられ、後側の大径リング部１４１と前側の小径リング部１４２とを有する段付形状に形成されている。
この筒状発光部材１４は、大径リング部１４１の側面１４１ａにおいて下方に配置される作動表示用光源１５Ｓに対向する部分に凹欠部１４３が形成され、ＬＥＤからなる作動表示用光源１５Ｓの光をこの凹欠部１４３から入射させて筒状発光部材１４内で反射拡散させて小径リング部１４２の周方向全域から前方に照射させる。
【００２０】
また、筒状発光部材１４は、上方に配置された複数の加熱量表示用光源１５Ｋ（ＬＥＤで構成）に対応して大径リング部１４１の周方向に間隔を存して略Ｌ字状の導光部材１４４が複数嵌め込まれ、各導光部材１４４は、一方側端部の入射部を大径リング部１４１の側面１４１ａに露出させて加熱量表示用光源１５Ｋに対向させ、他方側端部の出射部を小径リング部１４２に至らせて筒状発光部材１４の前方に向けるようにし、各加熱量表示用光源１５Ｋからの光を各導光部材１４４を介して前方に照射させる。
【００２１】
そして、上記作動表示用光源１５Ｓは、操作ツマミ１０Ｂの突出位置への前進がリミットスイッチ１０４によって検出されると発光される。従って、各コンロ部３の燃焼時は、対応する操作ツマミ１０Ｂを囲う筒状発光部材１４が光り、筒状発光部材１４が光っているか否かで対応するコンロ部３が燃焼作動状態にあるか否かを明瞭に識別することができる。また、上記各加熱量表示用光源１５Ｋは、突出位置での操作ツマミ１０Ｂの回動操作に応じたロータリーエンコーダ１０２からの信号によって順次発光される。すると、加熱量表示用光源１５Ｋからの光が導光部材１４４によって拡散することなく筒状発光部材１４内に導かれ、導光部材１４４の先端が明るく光る。従って、加熱量表示用光源１５Ｋからの光を、作動表示用の光と明確に分離して視認できるようになり、加熱量表示が明瞭化される。
また、この筒状発光部材１４の大径リング部１４１には、図３に示すように、側面１４１ａから前端面１０５ａに至って上記環状アース部材１６を取付けるための係合凹部１４１ｂが左右にそれぞれ設けられている。
【００２２】
次に、上記筒状発光部材１４に取付けられる環状アース部材１６について説明する。
環状アース部材１６は、ステンレス等の金属製であり、プレス加工によって形成され、図３に示すように、上記筒状発光部材１４の裏側部に配置され、筒状発光部材１４の後方側に向かう加熱作動用光源１５Ｓの光を前方側に反射させる円形の環状板１６１と、環状板１６１に連設されて上記筒状発光部材１４のツマミ挿通孔１４２ａ内に配置され、上記操作ツマミ１０Ｂの外周面に接触または接近する大きさの円形筒部１６２と、環状板１６１の外縁部から延長形成されて前方側に突出され、金属製の操作パネル板８Ｒに接触させる左右一対のアーム部１６３とを有する。
【００２３】
また、この環状アース部材１６の環状板１６１の裏面、即ち、操作ツマミ１０Ｂが突出位置にあるときに操作ツマミ１０Ｂの円筒大径部１０５の前端面１０５ａが当接される部分には、この前端面１０５ａに向く裏側に突出した膨出部１６１ａが全周的に形成されている。なお、この膨出部１６１ａは、環状板１６１の裏面に部分的に突出形成されたものでもよい。
【００２４】
また、環状アース部材１６における一対のアーム部１６３は、環状板１６１外縁部から外方に張り出された基端部１６３ａと、基端部１６３ａに連設されて前方側に屈曲された側部１６３ｂと、側部１６３ｂに連設されて内方に屈曲された前部１６３ｃとを有し、基端部１６３ａと側部１６３ｂとの境界の屈曲部分にはプレス曲げし易くするための孔部ｈが設けられている。そして、この左右一対のアーム部１６３を筒状発光部材１４の大径リング部１４１に設けた左右の係合凹部１４１ｂに係合させ、これによって、環状アース部材１６が筒状発光部材１４の裏側部、即ち、操作ツマミ１０Ｂの円筒大径部１０５に対向する側に取付けられる。
【００２５】
そして、上記のような環状アース部材１６を取付けた筒状発光部材１４は、支持枠１３を構成する箱体１３１の前面部の円形装着孔１３４にその大径リング部１４１を後方から着脱自在に装着させて支持枠１３に取付けられる。すると、筒状発光部材１４の大径リング部１４１の前端面１０５ａと環状アース部材１６のアーム部１６３の前部１６３ｃとが操作パネル板８Ｒの裏面に当接されると共に、筒状発光部材１４の小径リング部１４２が操作パネル板８Ｒのツマミ開口部８２に嵌合される。これにより、操作パネル板８Ｒが支持枠１３に対し筒状発光部材１４を介して横方向に位置決めされ、また、ツマミ開口部８２に対し操作ツマミ１０Ｂが筒状発光部材１４を介して芯決めされることとなり、操作ツマミ１０Ｂがツマミ開口部８２に対し偏心して体裁を損なうこともない。
【００２６】
次いで、支持枠１３の箱体１３１内には、３個の操作ツマミ１０Ｂに対応する３個の筒状発光部材１４を後方から押える作用を兼ねる表示用基板１５が取付けられる。この表示用基板１５には、筒状発光部材１４で囲われる操作ツマミ１０Ｂに対応するコンロ部３の燃焼作動時に点灯する作動表示用光源１５Ｓが筒状発光部材１４の下側に位置させて取付けられ、また、対応するコンロ部３の火力（加熱量）に応じて順次点灯する複数の加熱量表示用光源１５Ｋが筒状発光部材１４の上側に位置させて取付けられている。なお、加熱量表示用光源１５Ｋは、作動表示用光源１５Ｓとは異なる色の光を発光するＬＥＤで構成される。
【００２７】
そして、操作ツマミ１０Ｂを連結させた基板１３５を箱体１３１の後端開口面に取付け、さらに、この基板１３５を覆って蓋板１３２が箱体１３１の後端開口面に取付けられる。すると、操作ツマミ１０Ｂの円筒小径部１０１が筒状発光部材１４のツマミ挿通孔１４２ａに挿通されて、このツマミ挿通孔１４２ａに配置された環状アース部材１６の円形筒部１６２に操作ツマミ１０Ｂにおける円筒小径部１０１の外周面が接触または接近するように配置される。また、操作ツマミ１０Ｂが突出位置にあるときは、操作ツマミ１０Ｂの円筒大径部１０５の前端面１０５ａが筒状発光部材１４の裏側部１６３ｂに配置された環状アース部材１６における環状板１６１の膨出部１６１ａに当接される。
【００２８】
以上のように、上記操作パネル部８０Ｒにおいては、上記環状アース部材１６の円形筒部１６２は、上記操作ツマミ１０Ｂにおける円筒小径部１０１の外周面に接触または接近する大きさに構成されているので、操作ツマミ１０Ｂに印加された静電気は、この円形筒部１６２に流れ込むようになる。この円形筒部１６２は、環状アース部材１６の環状板１６１に連設され、そして、環状板１６１からアーム部１６３が延長形成されているので、円形筒部１６２に流れ込んだ静電気がアーム部１６３に流れる。さらに、このアーム部１６３は、前面の金属製の操作パネル板８Ｒに接触させているので、アーム部１６３に流れ込んだ静電気が金属製の操作パネル板８Ｒに流される。従って、操作ツマミ１０Ｂに印加した静電気は、上記環状アース部材１６によって金属製の操作パネル板８Ｒにアースされることとなる。よって、操作ツマミ１０Ｂに印加された静電気が制御基板（図示せず）に流れ込まないようにすることができ、操作ツマミ１０Ｂを通した静電気による機器の誤動作や制御基板の部品破壊等を防止することができる。
【００２９】
また、上記環状アース部材１６における上記環状板１６１によって、筒状発光部材１４の後方側に向かう作動表示用光源１５Ｓの光を前方側に反射させ、筒状発光部材１４の前方側を一層明るく光らせることができる。従って、コンロ部３の燃焼作動時においては、筒状発光部材１４による作動表示の点灯がはっきり識別することができ、操作者に対してコンロ部３の燃焼作動状態（コンロ部３が実際に燃焼されているか否か問わず、操作ツマミ１０Ｂが突出位置に前進された状態）を確実に認識させることができる。
【００３０】
さらに、上記環状アース部材１６の環状板１６１には、操作ツマミ１０Ｂが突出位置にあるとき操作ツマミ１０Ｂにおける円筒大径部１０５の前端面１０５ａと対接する部位に膨出部１６１ａが形成されているので、操作ツマミ１０Ｂの回動操作時、この膨出部１６１ａによって操作ツマミ１０Ｂの上記前端面１０５ａが受けられることとなる。従って、突出位置にある操作ツマミ１０Ｂが回動操作されるときに操作者の手に伝わる回動感触のガタツキ感を無くすことができる。
なお、以上のコンロ用操作パネル部８０Ｒにおける作用効果は、左側のグリル用操作パネル部８０Ｌについても同様である。
【００３１】
（その他）
なお、本発明は、上記実施の形態にのみ限定されることはなく、例えば、上記環状アース部材１６のアーム部１６３を前面の金属製の操作パネル板８Ｒ，８Ｌの裏面に接触させるようにするが、操作パネル板８Ｒ，８Ｌの裏側に金属製裏板を配置し、この金属製裏板に接触させるようにしてもよい。
この場合、例えば、前面の操作パネル板８Ｒ，８Ｌにおける操作ツマミ１０Ｂ，１０Ｇを配置する一部領域等を樹脂で形成したものに対しても金属製裏板に対して確実に操作ツマミ１０Ｂ，１０Ｇに印加した静電気をアースさせることができる。
【００３２】
また、上記実施の形態は、上記筒状発光部材１４において加熱量表示を行うため導光部材１４４や加熱量表示用光源１５Ｋを配置する構成とするが、このような加熱量表示のための構成を設けないものでもよい。
また、上記実施の形態は、ドロップイン式ガスコンロの操作パネル部に適用するが、ガスコンロ以外の加熱調理器、例えば、熱源として電気ヒータを用いる電気コンロや、熱源として電磁誘導コイルを用いるＩＨ調理器等の操作パネル部のアース構造に採用してもよい。
【図面の簡単な説明】
【００３３】
【図１】ガスコンロの外観構成を示す斜視図である。
【図２】コンロ本体におけるコンロ用操作パネル部の配置側の一部縦断面図
【図３】操作ツマミ、筒状発光部材および環状アース部材を示す分解斜視図である。
【符号の説明】
【００３４】
１  コンロ本体
２  ガラス天板
３  コンロ部
４  グリル部
８Ｌ  グリル用操作部の操作パネル板
８Ｒ  コンロ用操作部の操作パネル板
１０Ｂ  コンロ用の操作ツマミ
１０Ｇ  グリル用の操作ツマミ
１４  筒状発光部材
１５Ｓ  作動表示用光源
１６  環状アース部材
８０Ｌ  グリル用操作部
８０Ｒ  コンロ用操作部
１０１  操作ツマミの円筒小径部
１０５  操作ツマミの円筒大径部
１０５ａ  操作ツマミの前端面
１４１  筒状発光部材の大径リング部
１４１ａ  筒状発光部材の側面
１４１ｂ  係合凹部
１４２  筒状発光部材の小径リング部
１４２ａ  ツマミ挿通孔
１６１  環状板
１６１ａ  膨出部
１６２  円形筒部
１６３  アーム部
【図１】
2006092832.tif 000003
【図２】
2006092832.tif 000004
【図３】
2006092832.tif 000005